(57)【特許請求の範囲】
【請求項１】
複数の端子が配設された端子部を有する基板上に、
略直方体形状を呈する非導電性弾性部材の外周面のうち、少なくとも３面に渡って配設された線材を、当該非導電性弾性部材の長辺方向に複数備えるエラストマコネクタと、
上記基板の端子部に対応した端子部を有する液晶表示モジュールとを備え、
上記基板の端子部と上記液晶表示モジュールの端子部とによって上記エラストマコネクタが挟持されていることにより、当該エラストマコネクタの線材を介して上記基板の端子部と上記液晶表示モジュールの端子部とが電気的に接続されてなり、
少なくとも上記液晶表示モジュールの端子部において、上記液晶表示モジュールと上記エラストマコネクタとを上記基板に対して押圧する押圧部材を備え、
上記押圧部材は、上記エラストマコネクタの両端部の位置で上記液晶表示モジュールと上記エラストマコネクタとを押圧するとともに、
上記エラストマコネクタは、両端部における厚みよりも中央部における厚みを大とされている液晶表示装置。
【請求項２】
複数の端子が配設された端子部を有する基板上に、
略直方体形状を呈する非導電性弾性部材の外周面のうち、少なくとも３面に渡って配設された線材を、当該非導電性弾性部材の長辺方向に複数備えるエラストマコネクタと、
上記基板の端子部に対応した端子部を有する液晶表示モジュールとを備え、
上記基板の端子部と上記液晶表示モジュールの端子部とによって上記エラストマコネクタが挟持されていることにより、当該エラストマコネクタの線材を介して上記基板の端子部と上記液晶表示モジュールの端子部とが電気的に接続されてなり、
少なくとも上記液晶表示モジュールの端子部において、上記液晶表示モジュールと上記エラストマコネクタとを上記基板に対して押圧する押圧部材を備え、
上記押圧部材は、上記エラストマコネクタの中央部の位置で上記液晶表示モジュールと上記エラストマコネクタとを押圧するとともに、
上記エラストマコネクタは、中央部における厚みよりも両端部における厚みを大とされている液晶表示装置。
【請求項３】
上記液晶表示モジュールは、カラー画像を表示可能とされている請求項１又は請求項２に記載の液晶表示装置。
【請求項４】
少なくとも上記基板の端子部の位置に、当該基板の撓みを抑制する補強部材を備える請求項１又は請求項２に記載の液晶表示装置。
【発明の詳細な説明】
【０００１】
【発明の属する技術分野】
本発明は、基板上に液晶表示モジュールを備える液晶表示装置に関する。
【０００２】
【従来の技術】
従来から、例えば携帯型電話機や携帯型通信機器などの情報通信端末には、各種の情報を表示するために液晶表示モジュールが搭載されている。なお、以下では、液晶表示モジュールが搭載された各種の情報通信端末を、液晶表示装置と称することとする。
【０００３】
液晶表示モジュールは、ガラスやアクリル樹脂等の透明な材料によって形成された一対の平板の間に、マトリクス状に配設された複数のセルを備え、各セルの内部に特定の方向に配列された液晶分子が封入されてなる。また、各セルに配された電極を介してセル内の液晶分子に電圧を印加することによって、液晶分子の配列が変化し、これによりセル内の屈折率が変化する。そして、各セルに対する電圧の印加を制御することによって、セル全体として画像を表示するように構成されている。また、液晶表示モジュールは、その一側に、各セルに配された電極をそれぞれ外部と接続するための端子部が設けられている。
【０００４】
従来の液晶表示装置においては、例えば、図１０に示すように、基板１００上に形成された端子部１０１と、液晶表示モジュール１０２の端子部（図１０においては図示せず。）とを接続する目的で、エラストマコネクタ１０３が用いられている。
【０００５】
エラストマコネクタ１０３は、例えばシリコンゴム等の非導電性材料によって略矩形平板状に形成された一対の弾性部材１１０，１１１の間に、導線１１２が基板１００に対して垂直方向に複数配設されてなる。
【０００６】
そして、従来の液晶表示装置では、エラストマコネクタ１０３に配設された導線１１２によって、液晶表示モジュール１０２の端子部と基板１００上に形成された端子部１０１とが接続される構成とされている。
【０００７】
【発明が解決しようとする課題】
ところで、上述したような液晶表示装置では、押圧部材（図１０においては図示せず。）によって液晶表示モジュール１０２が基板１００方向に押圧されており、エラストマコネクタ１０３の導線１１２の両端部と、液晶表示モジュール１０２の端子部、及び基板１００の端子部１０１との電気的な接続が確保されている。
【０００８】
しかしながら、電気的な接続を確実に得るために、液晶表示モジュール１０２を押圧する力を大きくすると、図１１乃至図１３に示すように、エラストマコネクタ１０３の導線１１２が撓んでしまい、良好な接続状態を確保することが困難であるという問題があった。
【０００９】
なお、図１１乃至図１３は、縦横がそれぞれ１．０ｍｍ、長さが１０ｍｍ、導線１１２のピッチが０．１ｍｍとされたエラストマコネクタ１０３を示し、長さ方向に垂直な断面を示す概略断面図である。また、図１１は加重を加える前の状態を示し、図１２は加重を加えて縦方向に０．３ｍｍ圧縮した状態を示し、図１３は加重を加えて縦方向に０．５ｍｍ圧縮した状態を示す。
【００１０】
従来の液晶表示装置は、主としてモノクロの画像を表示する用途に用いられていたために、エラストマコネクタ１０３における接点不良による抵抗値変化がある程度許容されていた。しかしながら、特にカラー画像を表示可能な液晶表示モジュールを用いるとする場合には、表示する画像の品質が電流値の変化に敏感なことから、より確実に接続状態を確保することが要求される。
【００１１】
本発明は、上述した従来の実状を鑑みて提案されるものであり、液晶表示モジュールと基板との電気的な接続状態を良好に保つことが可能な液晶表示装置を提供することを目的とする。
【００１２】
【課題を解決するための手段】
本発明に係る液晶表示装置は、複数の端子が配設された端子部を有する基板上に、略直方体形状を呈する非導電性弾性部材の外周面のうち、少なくとも３面に渡って配設された線材を、当該非導電性弾性部材の長辺方向に複数備えるエラストマコネクタと、上記基板の端子部に対応した端子部を有する液晶表示モジュールとを備え、上記基板の端子部と上記液晶表示モジュールの端子部とによって上記エラストマコネクタが挟持されていることにより、当該エラストマコネクタの線材を介して上記基板の端子部と上記液晶表示モジュールの端子部とが電気的に接続されてなり、少なくとも上記液晶表示モジュールの端子部において、上記液晶表示モジュールと上記エラストマコネクタとを上記基板に対して押圧する押圧部材を備え、上記押圧部材は、上記エラストマコネクタの両端部の位置で上記液晶表示モジュールと上記エラストマコネクタとを押圧するとともに、上記エラストマコネクタは、両端部における厚みよりも中央部における厚みを大とされている。
また、本発明に係る液晶表示装置は、複数の端子が配設された端子部を有する基板上に、略直方体形状を呈する非導電性弾性部材の外周面のうち、少なくとも３面に渡って配設された線材を、当該非導電性弾性部材の長辺方向に複数備えるエラストマコネクタと、上記基板の端子部に対応した端子部を有する液晶表示モジュールとを備え、上記基板の端子部と上記液晶表示モジュールの端子部とによって上記エラストマコネクタが挟持されていることにより、当該エラストマコネクタの線材を介して上記基板の端子部と上記液晶表示モジュールの端子部とが電気的に接続されてなり、少なくとも上記液晶表示モジュールの端子部において、上記液晶表示モジュールと上記エラストマコネクタとを上記基板に対して押圧する押圧部材を備え、上記押圧部材は、上記エラストマコネクタの中央部の位置で上記液晶表示モジュールと上記エラストマコネクタとを押圧するとともに、上記エラストマコネクタは、中央部における厚みよりも両端部における厚みを大とされている。
【００１３】
以上のように構成された本発明に係る液晶表示装置は、基板の端子部と液晶表示モジュールの端子部とを、非導電性弾性部材の外周面に沿って配設された線材を備えるエラストマコネクタによって電気的に接続している。このため、エラストマコネクタに撓みなどの変形が生じた場合であっても、基板の端子部と液晶表示モジュールの端子部とを確実に接続し、電気的な接続状態を良好に保つことができる。
【００１４】
【発明の実施の形態】
以下、本発明の実施の形態について、図面を参照しながら詳細に説明する。以下では、本発明を適用して小型のメモリカードに液晶表示モジュールを搭載した場合の一構成例として、図１に示すような液晶表示装置１について説明する。液晶表示装置１は、例えば、パーソナルコンピュータやデジタルカメラ等の情報端末機器に対して着脱自在に用いられ、これら情報端末機器に対して各種情報の記録及び読み出しを可能とするメモリカードとしての機能を有する。なお、本発明は、図１に示す液晶表示装置１への適用に限定されるものではなく、基板上に液晶表示モジュールを備える液晶表示装置に対して広く適用することができる。
【００１５】
液晶表示装置１は、図１に示すように、略矩形平板形状とされた基板１０上に、液晶表示モジュール１１を備える。また、詳細を後述するが、基板１０の端子部と液晶表示モジュール１１の端子部とを電気的に接続するエラストマコネクタ１２を備える。また、液晶表示装置１は、基板１０と液晶表示モジュール１１とがエラストマコネクタ１２により電気的に接続された状態で、この液晶表示モジュールが基板１０とともに筐体（図示せず。）に収納される。
【００１６】
液晶表示装置１は、エラストマコネクタ１２を用いて基板１０と液晶表示モジュール１１とを電気的に接続していることによって、例えば、フレキシブル配線やボードトゥボードコネクタ（Board to board connector）等を用いた場合と比較して薄型化・簡略化・低コスト化を実現することが可能とされている。
【００１７】
基板１０は、液晶表示モジュール１１が備えられる一主面に、この液晶表示モジュール１１に対して電圧を印加するための端子部２０が形成されている。端子部２０は、複数の端子２１が例えば数十μｍのピッチで直線状に配設されてなり、エラストマコネクタ１２の一側面１２ａに当接される。また、基板１０の側部には、液晶表示モジュール１１を固定する目的で、第１乃至第３の凹部１０ａ，１０ｂ，１０ｃが形成されている。
【００１８】
また、図１においては図示を省略するが、基板１０上には、液晶表示モジュール１１を駆動するための周辺回路が複数配設されているとともに、これら周辺回路を電気的に接続するためのプリント配線が形成されている。
【００１９】
液晶表示モジュール１１は、図示しない光源からの光をバックライトとして照射する導光板３０と、導光板３０を保持する導光板ホルダ３１と、導光板ホルダ３１上に載置される液晶表示部３２と、液晶表示部３２を導光板ホルダ３１に固定する表示部カバー３３とを備える。
【００２０】
導光板３０は、例えばガラスやアクリル樹脂等の透光性を有する材料によって略矩形平板状に形成されており、図示しない光源からの光をバックライトとして液晶表示部３２に供給する。
【００２１】
導光板ホルダ３１は、導光板３０を保持するとともに液晶表示部３２を載置するに十分な大きさで略矩形状に形成されている。また、導光板３０の外形寸法と略同等の寸法とされた第１の開口部３１ａと、エラストマコネクタ１２の外形寸法と略同等の寸法とされた第２の開口部３１ｂとを有している。そして、第１の開口部３１ａに導光板３０が嵌合されるとともに、第２の開口部３１ｂにエラストマコネクタ１２が嵌合されることによって、これら導光板３０とエラストマコネクタ１２とを固定支持する。
【００２２】
また、導光板ホルダ３１は、基板１０に形成された第１乃至第３の凹部１０ａ，１０ｂ，１０ｃと対応する位置に、それぞれ第１乃至第３の係合片３１ｃ，３１ｄ，３１ｅが一体に形成されている。そして、液晶モジュール１１は、導光板ホルダ３１に形成された第１乃至第３の係合片３１ｃ，３１ｄ，３１ｅが、それぞれ基板１０に形成された第１乃至第３の凹部１０ａ，１０ｂ，１０ｃに係合されることによって、基板１０上に固定される。
【００２３】
さらに、導光板ホルダ３１は、表示部カバー３３を固定する目的で、第１乃至第３の凸部３１ｆ，３１ｇ，３１ｈが外周面に形成されている。
【００２４】
液晶表示部３２は、全体を略平板状に形成されている。液晶表示部３２は、例えばガラスやアクリル樹脂等の透明な材料によって形成された一対の平板の間に、マトリクス状に配設された複数のセルを備え、各セルの内部に特定の方向に配列された液晶分子が封入されてなる。また、各セルに電極が配されており、この電極を介してセル内の液晶分子に電圧を印加することによって、液晶分子の配列が変化し、これによりセル内の屈折率が変化するように構成されている。そして、各セルに対する電圧の印加を制御することによって、セル全体として画像を表示することを可能とされている。なお、液晶表示部３２において画像が表示される部位を、図１中において表示面３２ａとして示す。
【００２５】
また、液晶表示部３２は、導光板ホルダ３１に載置される側の面における一側に切欠部３２ｂを有している。そして、この切欠部３２ｂにおいて、導光板ホルダ３１と対向する面に、端子部４０を有している。端子部４０は、基板１０に形成された端子部２０と対応しており、複数の端子４１が基板１０における端子２１と同等のピッチで直線状に配設されてなる。また、端子部４０は、エラストマコネクタ１２において一側面１２ａと平行な側面１２ｂに当接される。
【００２６】
表示部カバー３３は、液晶表示部３２における表示面３２ａに対して平行な主面３３ａを有しており、この主面３３ａから基板１０の方向に周壁３３ｂが立設されている。また、主面３３ａには、液晶表示部３２の表示面３２ａと略々同等な寸法で、開口部３３ｃが形成されている。また、周壁３３ｂには、導光板ホルダ３１の外周面に形成された第１乃至第３の凸部３１ｆ，３１ｇ，３１ｈに対応する位置に、それぞれ孔部３３ｄ，３３ｅ，３３ｆが形成されている。
【００２７】
そして、表示部カバー３３は、第１乃至第３の孔部３３ｄ，３３ｅ，３３ｆを、それぞれ導光板ホルダ３１における第１乃至第３の凸部３１ｆ，３１ｇ，３１ｈに嵌合させることにより、この導光板ホルダ３１に対して固定される。このとき、表示部カバー３３は、主面３３ａと導光板ホルダ３１の主面とにより構成される空間に、液晶表示部３２を収納し固定する。
【００２８】
液晶表示モジュール１１は、以上のように構成されており、表示部カバー３３によって液晶表示部３２を導光板ホルダ３１に対して固定するとともに、導光板ホルダ３１によって導光板３０とエラストマコネクタ１２とが保持されており、導光板ホルダ３１の係合片３１ｃ，３１ｄ，３１ｅによって全体として基板１０に対して固定されている。
【００２９】
また、液晶表示モジュール１１は、基板１０に固定された状態で、エラストマコネクタ１２を基板方向に押圧し、僅かに弾性変形させるように構成されている。これにより、エラストマコネクタ１２の側面１２ａ及び側面１２ｂと、基板１０の端子部２０及び液晶表示部３２の端子部４０とを圧着させ、良好な状態を確保している。すなわち、液晶表示モジュール１１において、液晶表示部３２を導光板ホルダ３１に固定する表示部カバー３３と、導光板ホルダ３１とが、液晶表示部３２の端子部４０の位置でエラストマコネクタ１２を基板１０に対して押圧する押圧部材としての機能を果たしている。
【００３０】
液晶表示装置１においては、液晶表示モジュール１１が液晶表示部３２の端子部４０の位置でエラストマコネクタ１２を基板１０に対して押圧した状態で基板１０に固定されることによって、基板１０の端子部２０と液晶表示部３２の端子部４０とが電気的な接続状態を確実とすることができる。
【００３１】
なお、ここでの説明においては、液晶表示モジュール１１における表示部カバー３３と導光板ホルダ３１とが押圧部材としての機能を果たしているとしたが、例えば、液晶表示モジュール１１を構成する各部材の形状を適宜変更することによって押圧部材としての機能を実現してもよいし、板ばねや螺子等を用いて押圧部材としての機能を実現してもよい。
【００３２】
ところで、エラストマコネクタ１２は、図２及び図３に示すように、例えばシリコンゴム等の非導電性弾性材料によって略直方体形状に形成されてなる弾性部５０と、この弾性部５０の外周面に配設された複数の導線５１とにより構成されている。導線５１は、例えばＣｕやＡｕといった導電性の線材によって形成されており、弾性部５０の外周面のうち、少なくとも３面に渡って配設されている。また、導線５１は、弾性部５０の長辺方向に、例えば数十μｍ程度のピッチで互いに所定の間隔を保って平行に複数配設されている。
【００３３】
なお、図２及び図３においては、基板１０の端子部２０に当接される側面１２ａと、この側面１２ａと平行で液晶表示部３２の端子部４０に当接される側面１２ｂと、これら側面１２ａ及び側面１２ｂに挟まれた側面１２ｃとの３面に渡って導線５１が配設された場合の例を図示している。
【００３４】
エラストマコネクタ１２は、側面１２ａと側面１２ｂとに対して、基板１０の端子部２０における複数の端子２１と液晶表示部３２の端子部４０における複数の端子４１とが互いに対応した位置に当接されることによって、これら端子２１と端子４１とを導線５１を介して電気的に接続する機能を有している。
【００３５】
また、エラストマコネクタ１２は、外周面のうちの３面に渡って導線５１が配設されていることにより、基板１０方向に押圧されて撓んだ場合であっても、端子部２０と端子部４０との電気的な接続状態を良好に保つことができる。
【００３６】
液晶表示装置１は、上述のように構成されたエラストマコネクタ１２を備えていることにより、基板１０の端子部２０と液晶表示モジュール１１における端子部４０との電気的な接続状態を良好に保つことができることから、液晶表示モジュール１１を高精度に駆動して、高品位な画像を表示することを可能とされている。
【００３７】
なお、本発明は、液晶表示モジュール１１がカラー画像を表示可能として構成されている場合に特に有効である。一般に、カラー画像を表示可能として構成された液晶表示モジュールは、モノクロ画像を表示する液晶表示モジュールと比較して、表示する画像の品位が接点不良による抵抗値の変化に敏感である。また、モノクロ画像を表示する液晶表示モジュールと比較して、端子部における端子の数が多く、これら端子を通して供給される電流値が高い。このため、液晶表示モジュール１１がカラー画像を表示可能として構成された場合に、本発明を適用することにより、多くの端子を確実に接続することができ、高品位なカラー画像を表示することが可能となる。
【００３８】
ところで、本発明を適用した液晶表示装置１では、エラストマコネクタ１２を用いて基板１０の端子部２０と液晶表示モジュール１１における端子部４０とを電気的に接続していることから、上述したように、押圧部材を用いて端子部２０，４０の位置でエラストマコネクタ１２を基板１０に対して押圧することによりエラストマコネクタ１２を僅かに弾性変形させ、端子部２０，４０における電気的な接続状態を良好に保つことが望ましい。しかしながら、この場合には、押圧による応力によって基板１０が撓んでしまう虞が生じる。
【００３９】
そこで、以下では、この場合の例について、図４を参照して説明する。なお、上述した一構成例においては、液晶表示モジュール１１を構成する導光板ホルダ３１及び表示部カバー３３が押圧部材としての機能を果たしているとしたが、図４においては、同等の機能を果たす押圧部材を簡略化して単に押圧部材６０として示す。
【００４０】
液晶表示装置１においては、押圧部材６０によって液晶表示モジュール１１とエラストマコネクタ１２とを基板１０方向に押圧するとした場合に、図４に示すように基板１０が撓んでしまう虞が生じる。ここで、押圧部材６０は、エラストマコネクタ１２の長辺方向における両端部１２ｄ，１２ｅの位置に、基板１０の裏面側に係合する一対の係合片６０ａ，６０ｂを有し、これら係合片６０ａ，６０ｂにより基板１０を液晶表示モジュール１１方向に付勢することによって、液晶表示モジュール１１とエラストマコネクタ１２とを基板１０方向に押圧している。
【００４１】
図４に示すように基板１０が撓んでしまうと、エラストマコネクタ１２の中央部１２ｆの位置で、このエラストマコネクタ１２と基板１０の端子２１とに間隙が生じてしまい、電気的な接続を確保できなくなるといった虞が生じてしまう。
【００４２】
そこで、この場合には、図５に示すように、エラストマコネクタ１２を、両端部１２ｄ，１２ｅにおける厚みＨ１よりも中央部１２ｆにおける厚みＨ２を大とすることが望ましい。なお、ここでの厚みＨ１，Ｈ２は、エラストマコネクタ１２の基板１０に対して垂直な方向の厚みである。これにより、図６に示すように、押圧部材６０の押圧による影響で基板１０が撓んでしまった場合であっても、エラストマコネクタ１２は、その中央部１２ｆの位置での電気的な接続状態を確保することができる。
【００４３】
また、図７に示すように、押圧部材６０の係合片６０ｃをエラストマコネクタ１２の中央部１２ｆの位置に設け、この係合片６０ｃにより基板１０を液晶表示モジュール１１方向に付勢することによって、液晶表示モジュール１１とエラストマコネクタ１２とを基板１０方向に押圧するとしてもよい。この場合には、基板１０が図４及び図６に示す場合とは反対方向に撓んでしまうことから、図８に示すように、エラストマコネクタ１２を、中央部１２ｆにおける厚みＨ２よりも両端部１２ｄ，１２ｅにおける厚みＨ１を大とすることが望ましい。これにより、基板１０が図７に示すように撓んでしまった場合であっても、エラストマコネクタ１２は、その両端部１２ｄ，１２ｅの位置での電気的な接続状態を確保することができる。
【００４４】
また、液晶表示装置１においては、上述したような基板１０の撓みを抑制するために、図９に示すように、補強部材７０を備えるとしてもよい。補強部材７０としては、例えば金属板などのような十分な剛性を有する材料によって平板状に形成された部材を用いることができる。この補強部材７０を、例えば図９に示すように、基板１０の裏面側、すなわち端子部２０が形成された側とは反対側に配設し、補強部材７０の両端部７０ａ，７０ｂの位置に押圧部材６０の係合片６０ａ，６０ｂを係合させる構成とすればよい。
【００４５】
液晶表示装置１０においては、このように補強部材７０を備えることにより、基板１０の撓みを抑制することができる。したがって、エラストマコネクタ１２における電気的な接続状態を良好に保つことができるとともに、基板１０の撓みによってこの基板１０上に配設された他の電子部品等が短絡してしまうことを防止することができる。
【００４６】
なお、補強部材７０として、例えば板ばねを用いることにより、この補強部材７０に押圧部材としての機能も備えることができる。これにより、基板１０の撓みを抑制することができると同時に、エラストマコネクタ１２における電気的な接続状態をより確実なものとすることができる。
【００４７】
【発明の効果】
以上で説明したように、本発明に係る液晶表示装置は、基板の端子部と液晶表示モジュールの端子部とを、非導電性弾性部材の外周面に沿って配設された線材を備えるエラストマコネクタによって電気的に接続している。このため、エラストマコネクタに撓みなどの変形が生じた場合であっても、基板の端子部と液晶表示モジュールの端子部とを確実に接続し、電気的な接続状態を良好に保つことができる。したがって、液晶表示モジュールを高精度に駆動して、高品位な画像を表示することが可能となる。
【図面の簡単な説明】
【図１】本発明を適用した液晶表示装置の要部の概略を示す分解斜視図である。
【図２】同液晶表示装置に備えられるエラストマコネクタを示す斜視図である。
【図３】同液晶表示装置に備えられるエラストマコネクタを示す端面図である。
【図４】同液晶表示装置において基板が撓んだ状態を説明するための概略図である。
【図５】同液晶表示装置に備えられるエラストマコネクタの別の一例を示す概略図である。
【図６】同液晶表示装置において基板が撓んだ状態で電気的な接続が確保された場合を示す概略図である。
【図７】同液晶表示装置において基板が撓んだ状態の別の一例を説明するための概略図である。
【図８】同液晶表示装置に備えられるエラストマコネクタのさらに別の一例を示す概略図である。
【図９】同液晶表示装置に補強部材が備えられた場合を示す概略図である。
【図１０】従来の液晶表示装置を示す概略斜視図である。
【図１１】従来の液晶表示装置に備えられるエラストマコネクタを示す概略断面図である。
【図１２】従来の液晶表示装置に備えられるエラストマコネクタが弾性変形した状態を示す概略断面図である。
【図１３】従来の液晶表示装置に備えられるエラストマコネクタがさらに弾性変形した状態を示す概略断面図である。
【符号の説明】
１  液晶表示装置、１０  基板、１１  液晶表示モジュール、１２  エラストマコネクタ、２０  端子部、２１  端子、３０  導光板、３１  導光板ホルダ、３２  液晶表示部、３３  表示部ホルダ、４０  端子部、４１  端子、５０  弾性部、５１  導線、６０  押圧部材、７０  補強部材
【図１】
0004491924.tif 000002
【図２】
0004491924.tif 000003
【図３】
0004491924.tif 000004
【図４】
0004491924.tif 000005
【図５】
0004491924.tif 000006
【図６】
0004491924.tif 000007
【図７】
0004491924.tif 000008
【図８】
0004491924.tif 000009
【図９】
0004491924.tif 000010
【図１０】
0004491924.tif 000011
【図１１】
0004491924.tif 000012
【図１２】
0004491924.tif 000013
【図１３】
0004491924.tif 000014